(57)【要約】【課題】複数の通信方式に対応する通信端末がネットワークに接続されたサーバからデータを取得する際、接続している通信方式に応じて最適な圧縮処理がなされたデータを受信できるようにする。【解決手段】通信端末が取得要求するデータ及び通信端末が接続に使用している通信方式の情報を取得する通信情報取得部７５と、通信方式とデータの圧縮処理時に参照される圧縮情報とを対応づけて管理する圧縮率管理テーブル８０と、圧縮率管理テーブル８０を参照し、通信端末が接続に使用している通信方式に対応する圧縮情報に基づいてデータを圧縮するデータ圧縮部７３と、圧縮したデータを通信端末に送信する送信部とを備えて、データを圧縮するようにした。【選択図】図３
2007259269.tif 000002
【特許請求の範囲】
【請求項１】
通信端末とデータの配信を行うコンテンツサーバとがデータ圧縮サーバを経由して接続され、前記コンテンツサーバから配信されるデータを前記データ圧縮サーバで圧縮して前記通信端末に送信するデータ伝送システムにおいて、
前記データ圧縮サーバは、
前記通信端末が取得要求するデータ及び前記通信端末が接続に使用している通信方式の情報を取得する通信情報取得部と、
前記通信方式と前記データの圧縮処理時に参照される圧縮情報とを対応づけて管理する圧縮情報管理部と、
前記圧縮情報管理部を参照し、前記通信端末が接続に使用している通信方式に対応する圧縮情報に基づいて前記データを圧縮するデータ圧縮部と、
前記圧縮したデータを前記通信端末に送信する送信部とを備えることを特徴とする
データ伝送システム。
【請求項２】
通信端末とデータの配信を行うコンテンツサーバとの通信を中継し、前記コンテンツサーバから配信されるデータを圧縮して前記通信端末に送信するデータ圧縮サーバにおいて、
前記通信端末が取得要求するデータ及び前記通信端末が接続に使用している通信方式の情報を取得する通信情報取得部と、
前記通信方式と前記データの圧縮処理時に参照される圧縮情報とを対応づけて管理する圧縮情報管理部と、
前記圧縮情報管理部を参照し、前記通信端末が接続に使用している通信方式に対応する圧縮情報に基づいて前記データを圧縮するデータ圧縮部と、
前記圧縮したデータを前記通信端末に送信する送信部とを備えることを特徴とする
データ圧縮サーバ。
【請求項３】
請求項２記載のデータ圧縮サーバにおいて、
前記データ圧縮部は、前記データの圧縮処理時に参照する圧縮情報を、前記圧縮情報管理部で管理されている前記圧縮情報の中から前記通信情報取得部で取得された通信方式に基づいて自動的に選択することを特徴とする
データ圧縮サーバ。
【請求項４】
請求項２記載のデータ圧縮サーバにおいて、
前記圧縮管理部に管理されている前記圧縮情報が、前記通信端末から又は前記データ圧縮サーバに接続可能な端末からの指示に従い設定されることを特徴とする
データ圧縮サーバ。
【請求項５】
請求項２記載のデータ圧縮サーバにおいて、
前記圧縮管理部で管理されている前記圧縮情報は、圧縮率と、圧縮アルゴリズムとを少なくとも含むことを特徴とする
データ圧縮サーバ。
【請求項６】
請求項２記載のデータ圧縮サーバにおいて、
当該データ圧縮サーバは、前記コンテンツサーバと同一のサーバで構成され、前記通信端末に配信するデータの圧縮前データが保存された保存部を備え、
前記通信端末の要求に応じて前記保存部から前記圧縮前データを読み出し、所定の圧縮を行った後に前記通信端末に送信することを特徴とする
データ圧縮サーバ。
【請求項７】
コンテンツサーバから配信されるデータをデータ圧縮サーバで圧縮して通信端末に送信するデータ伝送方法において、
前記データ圧縮サーバは、前記通信端末が取得要求するデータ及び前記通信端末が前記コンテンツサーバとの接続に使用している通信方式の情報を取得し、
前記通信方式と前記データの圧縮処理時に参照される圧縮情報とが対応づけて管理されている圧縮情報管理部から、前記取得した通信方式に対応する圧縮情報を選択し、
前記選択された圧縮情報に基づいて前記データを圧縮し、
前記圧縮したデータを前記通信端末に送信することを特徴とする
データ伝送方法。
【発明の詳細な説明】
【技術分野】
【０００１】
本発明は、例えば携帯電話端末を用いてインターネットを介してコンテンツを受信する場合に適用して好適なデータ伝送システム、データ圧縮サーバ及びデータ伝送方法に関する。
【背景技術】
【０００２】
近年、IEEE（Institute of Electrical and Electronic Engineers）802.11系規格やBluetooth（登録商標）規格、ＵＷＢ（Ultra Wide Band）規格などに準拠した通信方式の無線ＬＡＮ（Local Area Network）でネットワークを構成し、インターネットに接続することが可能となった。また、ノート型のコンピュータ端末を持ち歩き、アクセスポイントで無線ＬＡＮに接続することができ、戸外においてもインターネットに接続してＷｅｂ（World Wide Web）の閲覧を楽しんだり、電子メールを受信したりすることが可能となった。
【０００３】
インターネットへの接続は、多機能化した携帯電話端末を用いても行うことが可能である。携帯電話端末には、様々な通信方式が採用されている。通信方式には、例えばＷ−ＣＤＭＡ（Wideband Code Division Multiple Access），ＣＤＭＡ（Code Division Multiple Access）２０００，ＰＤＣ（Personal Digital Cellular），ＰＨＳ（Personal Handyphone System）等がある。このような携帯電話端末を用いて、データ量の大きな動画データや高精細画像等のコンテンツデータ（以降、コンテンツと称する。）を格納したコンテンツサーバからデータをダウンロードして再生映像を楽しむことが可能となった。ここで、テキスト，静止画，動画，音楽，音声，及びそれらを組み合わせた情報の表現をコンテンツと称する。
【０００４】
動画データや高精細画像等のコンテンツはデータ量が大きいため、携帯電話端末を用いた場合、データのダウンロード時間が長くかかることがある。このためフィルタによるデータ除去やデータ圧縮等の処理によってパケット量を抑え、パケット料金を安くするサービスを提供するような特定のＷｅｂサイトを通してＷｅｂを閲覧することがあった。
【０００５】
特許文献１には、データの圧縮を行うサーバを経由してＷＷＷ（Ｗｅｂ）サーバからデータをダウンロードする技術が記載されている。
【特許文献１】特開２００２−１６４９６６号公報（図２参照）
【発明の開示】
【発明が解決しようとする課題】
【０００６】
ところで、無線ＬＡＮや無線電話等の複数の通信方式に対応し、所望の通信方式に応じて通信経路を選択し、サーバにコンテンツの取得要求を行うことが可能な通信端末がある。このような通信端末は、例えば屋内や地下街等であればアクセスポイントを経由して無線ＬＡＮから、インターネットに接続できる。また、屋外であれば基地局を介した電話網を経由することで、インターネットに接続できる。ここで、通信端末が接続する通信方式の伝送速度によってコンテンツのダウンロード時間が異なってくる場合がある。このため、通信端末で接続している通信方式の伝送速度に適した圧縮率でコンテンツを受信しなければ、再生途中に動画がコマ落ちしたり、音声が途切れたりしてしまう。
【０００７】
これまでは、通信端末からコンテンツの取得要求を行った場合、上記特許文献１に記載のサーバによるデータ圧縮では圧縮率が固定であったため、使用している通信方式に適した圧縮率でコンテンツを圧縮することができなかった。このため、使用している通信方式の回線速度が低速である場合、低圧縮率のコンテンツをダウンロードすると、ダウンロード完了まで長時間かかってしまう。また、コンテンツのデータ量が大きいため、回線を占有してしまい、他の接続ユーザにまで影響が出る可能性があった。また、不適切な圧縮率でコンテンツをダウンロードしてしまうことにより、端末のディスプレイ画面に比べて非常に小さな画像を取得したり、高精細画像をダウンロードしようとしても低精細画像をダウンロードしてしまったりすることがあった。
【０００８】
本発明はこのような点に鑑みて成されたものであり、複数の通信方式に対応する通信端末がネットワークに接続されたサーバからデータを取得する際、使用する通信方式に応じて最適な圧縮処理が行われたデータを取得できるようにすることを目的とする。
【課題を解決するための手段】
【０００９】
本発明は、通信端末が取得要求するデータ及び通信端末がコンテンツサーバとの接続に使用している通信方式の情報を取得し、通信方式とデータの圧縮処理時に参照される圧縮情報とが対応づけて管理された圧縮情報管理部から、取得した通信方式に対応する圧縮情報を選択し、選択された圧縮情報に基づいてデータを圧縮し、圧縮したデータを通信端末に送信する。
【００１０】
このような構成とすることにより、通信端末がコンテンツサーバとの接続に使用している通信方式に対応じて圧縮処理時に参照される圧縮情報が選択され、該選択された圧縮情報に基づいて最適な圧縮処理、例えば最適な圧縮率での圧縮処理等が行われる。
【発明の効果】
【００１１】
本発明によれば、複数の通信方式に対応する通信端末がネットワークに接続されたサーバからデータを取得する際、通信端末がネットワークに接続している通信方式に応じて最適な圧縮処理が行われたデータを取得することができる。したがって、例えば、通信端末が通信速度や通信料金の異なる通信方式に対応している場合、速度や料金の面において、ユーザにとって最適なデータ受信環境を提供することができる。
【発明を実施するための最良の形態】
【００１２】
以下、本発明の一実施の形態を、添付図面を参照して説明する。本実施の形態では、複数の通信方式でデータを送受信可能な携帯電話端末から送信したコンテンツ取得要求に従って、コンテンツサーバよりコンテンツを取得するデータ伝送システムに適用した例としてある。
【００１３】
まず、本例のデータ伝送システム１００の接続構成例について、図１を参照して説明する。端末間での会話や、インターネット接続可能な携帯電話端末１は、無線ＬＡＮと無線電話通信の２系統の通信方式を、状況に応じて選択可能である。無線ＬＡＮを介してインターネットに接続する場合、まず携帯電話端末１でＩＳＰ（Internet Service Provider）業者が提供するアクセスポイント４に無線接続し、コンテンツ取得要求メッセージを送信する。アクセスポイント４は、受信したコンテンツ取得要求メッセージを、インターネットへの接続を仲介するＩＳＰサーバ５に送信する。ＩＳＰサーバ５は、端末１からコンテンツ取得要求メッセージと同時に送信される携帯電話端末１の使用者を識別するユーザＩＤやパスワード等のユーザ情報からユーザ認証を行う。
【００１４】
本例では、携帯電話端末１は、コンテンツ取得要求メッセージと共に、データ圧縮サーバ７に通信情報を送信する。本例で用いる通信情報は、通信端末が取得要求するコンテンツ情報と、通信端末が接続する通信方式と、携帯電話端末１の使用者を識別するユーザＩＤやパスワード等のユーザ情報とを含むものである。
【００１５】
データ圧縮サーバ７は、接続した携帯電話端末１のユーザ認証を行って、ユーザ登録してあれば、コンテンツを記録、配信するコンテンツサーバ９よりコンテンツを取得する。データ圧縮サーバ７は、携帯電話端末１の通信方式に適した圧縮アルゴリズムと圧縮率で取得したコンテンツを圧縮して、圧縮したコンテンツを、インターネット６を介してＩＳＰサーバ５に送信する。ＩＳＰサーバ５は、携帯電話端末１が接続しているアクセスポイント４を選択し、携帯電話端末１に圧縮したコンテンツを送信する。携帯電話端末１では、受信したコンテンツを解凍し、画像再生や音声再生を行う。
【００１６】
一方、携帯電話端末１が接続する通信方式が無線電話通信である場合、端末１が生成するコンテンツ取得要求メッセージは、無線電話の基地局２に送信される。基地局２は、受信したコンテンツ取得要求メッセージを電話網３とインターネット６を介してデータ圧縮サーバ７に送信する。そして、上述した無線ＬＡＮでコンテンツ取得要求を行う系と同様に、コンテンツサーバ９からデータ圧縮サーバ７に送信したコンテンツを圧縮して、インターネット６，電話網３の順に基地局２へ圧縮コンテンツを送信する。基地局２は、携帯電話端末１を識別し、この携帯電話端末１に圧縮コンテンツを送信する。携帯電話端末１は、受信したコンテンツを解凍し、画像再生や音声再生を行う。
【００１７】
次に、本例の携帯電話端末１の内部構成例について、図２を参照して説明する。携帯電話端末１には、液晶ディスプレイパネル等を用いて文字や数字，記号，アイコン，カーソル，静止画像，動画像等を表示する表示部１９と、通話時における通信相手の音声や着信メロディ等の音声出力を行うスピーカ１４が設置してある。携帯電話端末１は、アクセスポイント４から所定の通信方式で送信される信号を、アンテナ１０ａを介して送受信部１１ａで受信し、データとして取り込む。
【００１８】
一方、携帯電話端末１で生成したコンテンツ取得要求等のデータは送受信部１１ａで無線信号に変換し、アンテナ１０ａを介してアクセスポイント４に送信する。無線ＬＡＮには、例えばIEEE802.11系方式を適用する。IEEE802.11系方式では、無線チャネルの使用状況を事前に確認して他の端末からの信号と衝突させないようにするＣＳＭＡ／ＣＡ（Career Sense Multiple Access with Collision Avoidance：衝突回避機能付きキャリア感知多元接続）方式を適用する。信号の送受信時には、無線チャネルが「未使用（アイドル）」か「使用中（ビジー）」であるかを確認し、「未使用（アイドル）」であればアンテナ１０ａとアクセスポイント４との間で信号の送受信を行う。
【００１９】
また、携帯電話端末１は、外部の基地局２から無線電話通信で送信される信号を、アンテナ１０ｂを介して送受信部１１ｂで受信する。送受信部１１ｂで受信と送信を行う無線電話通信方式としては、例えばＷ−ＣＤＭＡ（符合分割多重接続）方式を適用する。音声通話時の受信系について説明すると、送受信部１１ｂで受信し、復調した受信信号を、データ処理部１２に供給する。データ処理部１２は、受信パケットを抽出して、そのパケットから音声データ、制御データなどの必要なデータを取り出す。取り出した音声データを、音声処理部１３に供給して、デジタルデータからアナログ音声信号への変換、増幅などの音声処理を行い、スピーカ１４より通話中の相手音声を出力する。
【００２０】
一方、音声通話時の送信系について説明すると、音声を集音するマイクロフォン１５で取り込んだ音声信号を、音声処理部１３でデジタル音声データに変換する。そして、変換した音声データは、データ処理部１２に供給して、音声データを送信パケット内に配置する。送信パケットには、制御データなどその他のデータも配置する。そして、データ処理部１２で生成した送信パケットは、送受信部１１ｂで所定の変調処理が施される。所定の送信周波数の送信信号に周波数変換された送信信号がアンテナ１０ｂから無線送信される。これらの受信と送信は、携帯電話端末１の制御部１６の制御で実行すると共に、表示部１９で必要な表示を行う。制御部１６での制御に必要なプログラムは、記憶部１８に記憶させてある。
【００２１】
携帯電話端末１には、１，２…９，０の数字や＃、＊の記号のプッシュキー、各種ファンクションキー、カーソル操作等を行う方向指示キー、操作を確定させるエンターキー等のキーを配置した操作部３を設けてあり、入力操作を行うことができる。半導体メモリであるスティック形状のメモリカード２０は、図示しないカードスロットに挿入して取り外し可能である。メモリカード２０には、コンテンツ９からダウンロードした動画像，静止画像，音楽ファイル等を保存でき、必要に応じてメモリカード２０から読み出し、表示部１９に画像を表示させたり、スピーカ１４から音楽を放音させたりできる。
【００２２】
次に、本例のデータ圧縮サーバ７の内部構成例について、図３を参照して説明する。携帯電話端末１より送信したコンテンツ取得要求メッセージは、パケットに変換されて、インターネット６を経由して通信インタフェース７０より、データ圧縮サーバ７に送信される。
【００２３】
データ圧縮サーバ７で受信したパケットは、パケット処理部７１で再構成されて内容が解読される。そして、通信情報を照合する通信情報取得部７５が、解読されたコンテンツ取得要求メッセージから通信情報を取得する。通信情報取得部７５は、通信情報に含まれるユーザＩＤと、利用者情報記録部７２に記録してあるユーザＩＤを照合し、一致しない場合は、エラーメッセージを生成して携帯電話端末１に送信する。通信情報に含まれるユーザＩＤが、利用者情報記録部７２に記録してあるユーザＩＤと一致する場合、後述する圧縮率管理テーブル８０を読み出す圧縮率選択部７４は、ユーザＩＤから端末１が使用している通信方式に適した圧縮率と、圧縮アルゴリズムとを選択する。
【００２４】
通信情報取得部７５で照合した結果、ユーザＩＤが登録されていれば、コンテンツ取得要求メッセージに含まれるコンテンツ識別情報より、コンテンツサーバ９から対応するコンテンツを取得する。データ圧縮部７３は、圧縮率選択部７４で選択した圧縮率と圧縮アルゴリズムで取得したコンテンツを圧縮する。そして、圧縮コンテンツはパケット処理部７１でパケット変換され、インターネット６に出力される。パケットは、携帯電話端末１がデータ圧縮サーバ７に接続している無線ＬＡＮあるいは無線電話通信のいずれかの通信方式で携帯電話端末１に供給され、端末１でコンテンツに再構成される。
【００２５】
次に、本例で用いる圧縮率管理テーブル８０の構成例について、図４を参照して説明する。データベース８の圧縮率管理テーブル８０（以下の説明では、テーブル８０とも称する。）は、コンテンツの圧縮処理時に参照される圧縮情報を管理する圧縮情報管理部の一例であり、携帯電話端末１を識別するユーザＩＤと、携帯電話端末１で用いるユーザＩＤ毎の通信方式に対して適切な圧縮アルゴリズム，圧縮率等を予め設定してある。テーブル８０への値の設定は、ユーザが携帯電話端末１を用いて直接設定することができるし、あるいはデータ圧縮サーバ７を保有している事業者が、データ圧縮サーバ７に接続してきた携帯電話端末１の通信情報を基に自動で設定することもできる。
【００２６】
現在、様々な通信方式が実用化されており、通信方式毎に回線速度も異なる。また、解像度が異なる画像サイズも提供されている。例えば、ＶＧＡ（Video Graphics Array），ＱＶＧＡ（Quarter VGA），ＱＱＶＧＡ（Quarter QuarterVGA），ＣＩＦ（Common Intermediate Format）等がある。本例のテーブル８０では、コンテンツとして動画データの圧縮アルゴリズムと圧縮率を定義してある。テーブル８０には、ユーザＩＤ，通信方式に対する圧縮アルゴリズム，画像サイズ，画像圧縮率，動画フレームレート，…の各項目に値が設定される。
【００２７】
テーブル８０に示すように、本例では、ユーザＩＤが“Ｘ”である携帯電話端末１を用いてコンテンツをダウンロードする場合、無線電話（Ｗ−ＣＤＭＡ），無線電話（ＰＤＣ），無線ＬＡＮ（IEEE802.11b），Bluetooth（登録商標）の４種類の通信方式から選択してデータ圧縮サーバ７に接続できる。このとき、それぞれの通信方式では、回線速度が異なるため、データ圧縮サーバ７は、通信方式に適したデータ量にコンテンツを圧縮する。
【００２８】
本例では、ユーザＩＤが“Ｘ”である場合に、コンテンツとして動画データをダウンロードする場合、通信方式で無線電話（Ｗ−ＣＤＭＡ）を使用すると、圧縮アルゴリズム“Ａ”の処理により、コンテンツの画像サイズをＱＶＧＡ，画像圧縮率が３０％となるまで圧縮される。このとき、動画フレームレートは、１０ｆｐｓ（flames per second）である。一方、通信方式で無線電話（ＰＤＣ）を使用すると、圧縮アルゴリズム“Ｂ”の処理により、コンテンツの画像サイズをＱＱＶＧＡ，画像圧縮率が７０％となるように圧縮される。このとき、動画フレームレートは、１ｆｐｓ（flames per second）である。
【００２９】
次に、本例のデータ伝送システム１００を用いてコンテンツを取得する処理の例について、図５のシーケンス図を参照して説明する。
【００３０】
本例の携帯電話端末１は、現在使用している通信方式を用い、無線電話通信経由（基地局２と電話網３）、または無線ＬＡＮ経由（アクセスポイント４とＩＳＰサーバ５）のいずれかの通信方式を経由して、インターネット６を介してデータ圧縮サーバ７に接続する。このとき、携帯電話端末１は、コンテンツの取得要求を行うサイトに関する情報と共に、携帯電話端末１で使用している通信方式と携帯電話端末１のユーザＩＤとを通信情報としてデータ圧縮サーバ７に通知する（ステップＳ１）。
【００３１】
データ圧縮サーバ７は、ユーザ認証後、ステップＳ１より、携帯電話端末１から要求されたコンテンツを格納するコンテンツサーバ９に対し、コンテンツを要求する（ステップＳ２）。また、データ圧縮サーバ７は、コンテンツを要求した携帯電話端末１のユーザＩＤと、その通信方式を通信情報としてデータベース８に伝える（ステップＳ３）。
【００３２】
データベース８は、データ圧縮サーバ７より受信した通信情報から、適用する圧縮アルゴリズムや圧縮率等を選択する（ステップＳ４）。そして、データベース８は、データ圧縮サーバ７に対し、選択された圧縮アルゴリズムや圧縮率等を通知する（ステップＳ５）。
【００３３】
コンテンツサーバ９は、データ圧縮サーバ７に、ステップＳ２で要求されたコンテンツを送信する（ステップＳ６）。データ圧縮サーバ７は、ステップＳ５で通知された圧縮アルゴリズムや圧縮率等に従って、コンテンツを圧縮する（ステップＳ７）。
【００３４】
そして、データ圧縮サーバ７は、携帯電話端末１に対し、携帯電話端末１が現在使用している通信方式を通じて圧縮コンテンツを送信する（ステップＳ８）。携帯電話端末１は、受信した圧縮コンテンツを、解凍し、要求したコンテンツを記憶部１８やメモリカード２０に保存し、表示部１９に表示する（ステップＳ９）。
【００３５】
このような処理により、通信端末が使用する通信方式に適した圧縮率でコンテンツを圧縮することができる。
【００３６】
本実施の形態によれば、通信速度や通信料金の異なる通信方式を選択可能である通信端末を用いて通信する場合、使用している通信方式を自動的に判別して、その通信方式にとって最適な圧縮アルゴリズムでコンテンツを圧縮して伝送するため、コンテンツのダウンロード時間をかけることなく速やかにコンテンツをサーバから取得することができるという効果がある。また、コンテンツを適切に圧縮するため、コンテンツのダウンロード時間や通信時間が短くなり、パケット料金，通信料金を抑制できるという効果がある。このように、速度や料金の面において、ユーザにとって最適なコンテンツ受信環境を得ることができるという効果がある。
【００３７】
また、コンテンツのダウンロード時において、圧縮アルゴリズムや圧縮率の設定を手動で行う必要がない。このため、ユーザは、接続した通信方式の違いを意識しなくてもよいため、速やかにダウンロードを行うことができるという効果がある。
【００３８】
なお、上述した実施の形態では、コンテンツサーバとデータ圧縮サーバとデータベースの機能を、データ圧縮サービスを行う事業で提供するシステム構成としたが、事業者側が提供するものを使用する代わりに、自宅で設置するホームサーバに適用してもよい。この場合、データベース８が保持するテーブル８０を一個人分とする。そして、ホームサーバの所有者以外からは接続できないようにしてもよい。このようにすることで、ユーザが外出先であってもホームサーバに接続して好みのコンテンツがダウンロードできるようになるという効果がある。また、ホームサーバでユーザ認証を確実に行えば、本人以外のユーザがホームサーバに接続することはなく、ホームサーバ内に保存してあるコンテンツが他人にダウンロードされることがない。
【００３９】
また、テーブル８０のコンテンツの圧縮情報設定を、携帯端末からではなく、ホームサーバに直接接続したコンピュータ装置で操作して設定する、あるいはホームサーバに接続されたキーボード等の外部入力装置を操作して設定するようにしてもよい。
【００４０】
また、上述した実施の形態では、データ伝送システム１００でコンテンツサーバ９とデータ圧縮サーバ７とを分けて構成するようにしたが、データ圧縮サーバのデータ圧縮機能や、データベース８に保存している圧縮率管理テーブル８０をコンテンツサーバに取り込むようにしてもよい。また、コンテンツサーバにおいて通信方式に応じたコンテンツの圧縮を行うようにしてもよい。あるいは、テーブル８０を携帯電話端末１に記録しておき、データ圧縮サーバ７への接続と同じタイミングでテーブル８０から読み出した圧縮アルゴリズム，圧縮率等の情報を送信して、この情報を基にデータ圧縮サーバでコンテンツを圧縮させるようにしてもよい。また、データ圧縮サーバに、コンテンツサーバに保存しているコンテンツ等のデータの一部又は全部を蓄積・保存するハードディスク等の保存部を設け、携帯電話端末からの要求に応じて圧縮する前の対象データを読み出し、読み出したデータを圧縮して送信するようにするにしてもよい。この場合において、コンテンツサーバとデータ圧縮サーバとを同一のサーバで構成してもよい。このように構成した場合、配信するコンテンツ等のデータがデータ圧縮サーバに保存されているため、データの圧縮処理、携帯電話端末への配信処理等をデータ圧縮サーバ単体で行うことができる。このようにしても、上述した実施の形態と同様の機能、効果を得ることができる。
【００４１】
また、上述した実施の形態では、ユーザＩＤと通信方式とをデータ圧縮サーバ７に通知して、圧縮アルゴリズムと圧縮率を選択するようにしたが、これ以外に使用している通信方式の伝送レート等をデータ圧縮サーバ７に通知することにより、適切な圧縮アルゴリズムと圧縮率を選択してもよい。また、上述した実施の形態では、使用している携帯電話端末を識別するためにユーザＩＤとして、端末の電話番号，ＭＡＣアドレス，固定ＩＰアドレス等の固有情報を用いて端末を識別するようにしてもよい。
【００４２】
また、上述した実施の形態では、データ圧縮サーバ７，データベース８，コンテンツサーバ９を１つずつで構成したが、データ圧縮機能及びコンテンツ配信機能を持つ複数のサーバとデータベースとでシステムを構成するようにしてもよい。
【００４３】
また、上述した実施の形態では、コンテンツの取得要求をデータ圧縮サーバ７に通知した後、圧縮アルゴリズムと圧縮率を選択するようにしたが、Ｗｅｂページの閲覧中に、携帯電話端末のユーザインタフェースによって、一時的に圧縮率を上げたり、下げたりできるようにしてもよい。例えば、携帯電話端末１でコンテンツを閲覧中にもう少し高精細な画像を取得したい場合は、圧縮率を下げるようにデータ圧縮サーバ７に通知する。一方、通信ゲーム中に通信速度を上げたい場合は、圧縮率を上げるようにデータ圧縮サーバ７に通知して通信速度を向上させることができる。そして、コンテンツを再受信したり、次のセッションを開始したりする場合に、圧縮率を変更したコンテンツを受信する。圧縮率の変更は一時的であるため、例えば、セッションの終了、一定時間接続要求がない場合、その他の復帰アルゴリズムによって、自動的にテーブル８０の規定値に戻すようにすればよい。
【００４４】
また、上述した実施の形態では、携帯電話端末に適用した例として説明したが、他にもノート型パーソナルコンピュータ装置，ＰＤＡ（Personal Digital Assistants），携帯型のテレビジョン受像機，携帯ゲーム端末等といった複数の通信方式で接続可能な様々な装置、端末に適用することが可能である。
【００４５】
また、上述した実施の形態では、無線電話，無線ＬＡＮの通信方式でサーバに接続してコンテンツをダウンロードする例について説明したが、他の通信方式を複数使用する場合にも対応できる。また、ケーブル，光ファイバ等の有線接続を用いた場合においても上述した実施の形態と同様の機能、効果を得ることができる。
【図面の簡単な説明】
【００４６】
【図１】本発明の一実施の形態におけるデータ伝送システムの接続例を示した構成図である。
【図２】本発明の一実施の形態における携帯電話端末の内部構成例を示したブロック図である。
【図３】本発明の一実施の形態におけるデータ圧縮サーバとデータベースの内部構成例を示したブロック図である。
【図４】本発明の一実施の形態における圧縮率管理テーブルの例を示した説明図である。
【図５】本発明の一実施の形態におけるコンテンツ取得時の動作例を示したシーケンス図である。
【符号の説明】
【００４７】
１００…データ伝送システム、１…携帯電話端末、２…基地局、３…電話網、４…アクセスポイント、５…ＩＳＰサーバ、６…インターネット、７…データ圧縮サーバ、８…データベース、９…コンテンツサーバ、１０ａ，１０ｂ…アンテナ、１１ａ，１１ｂ…送受信部、１２…データ処理部、１３…音声処理部、１４…スピーカ、１５…マイクロフォン、１６…制御部、１７…操作部、１８…記憶部、１９…表示部、２０…メモリカード、７０…通信インタフェース、７１…パケット処理部、７２…利用者情報記録部、７３３…データ圧縮部、７４…圧縮率選択部、７５…通信情報照合部、８０…圧縮率管理テーブル
【図１】
2007259269.tif 000003
【図２】
2007259269.tif 000004
【図３】
2007259269.tif 000005
【図４】
2007259269.tif 000006
【図５】
2007259269.tif 000007